(57)【要約】【課題】印刷済み用紙の再利用をさらに適切かつ迅速に行う。【解決手段】スキャナー部１０１により、印刷済み用紙又は原稿の画像を読み取り、画像検出部１１９により、スキャナー部１０１が読み取った画像データを元に、原稿の画像のサイズを検出し、余白検出部１２０により、スキャナー部１０１が読み取った画像データを元に、印刷済み用紙の余白のサイズを検出し、システム制御部１２３により、印刷済み用紙の振り分け処理と、印刷済み用紙の余白に対する画像の印刷処理とを制御する。また、システム制御部１２３は、振り分け処理では、余白検出部１２０が検出した余白のサイズに応じ、印刷済み用紙を指定された給紙カセット１３１ａ〜１３１ｇに振り分け、画像の印刷処理では、画像検出部１１９が検出した原稿の画像のサイズの印刷が可能な余白を有した印刷済み用紙を給紙カセット１３１ａ〜１３１ｇから給紙させる。【選択図】図３
2019062301.tif 000002
【特許請求の範囲】
【請求項１】
プリンター部と、
印刷済み用紙又は原稿の画像を読み取る読み取りデバイスと、
前記読み取りデバイスが読み取った画像データを元に、前記原稿の画像のサイズを検出する画像検出部と、
前記読み取りデバイスが読み取った画像データを元に、前記印刷済み用紙の余白のサイズを検出する余白検出部と、
前記印刷済み用紙の振り分け処理と、前記印刷済み用紙の余白に対する前記画像の印刷処理とを制御するシステム制御部とを備え、
前記システム制御部は、
前記振り分け処理では、前記余白検出部が検出した余白のサイズに応じ、前記印刷済み用紙を指定された排出先に振り分け、
前記画像の印刷処理では、前記画像検出部が検出した前記原稿の画像のサイズの印刷が可能な余白を有した前記印刷済み用紙を前記排出先から給紙させ、前記プリンター部に対し、前記原稿の画像を、給紙させた前記印刷済み用紙の余白に印刷させる
ことを特徴とする画像形成装置。
【請求項２】
前記システム制御部は、前記余白検出部が検出した余白が複数であるとき、最大サイズの余白を振り分け対象とすることを特徴とする請求項１に記載の画像形成装置。
【請求項３】
画像形成装置を制御するコンピューターに実行させる画像形成プログラムであって、
読み取りデバイスにより、印刷済み用紙又は原稿の画像を読み取る工程と、
画像検出部により、前記読み取りデバイスが読み取った画像データを元に、前記原稿の画像のサイズを検出する工程と、
余白検出部により、前記読み取りデバイスが読み取った画像データを元に、前記印刷済み用紙の余白のサイズを検出する工程と、
システム制御部により、前記印刷済み用紙の振り分け処理と、前記印刷済み用紙の余白に対する前記画像の印刷処理とを制御する工程とを有し、
前記システム制御部は、
前記振り分け処理では、前記余白検出部が検出した余白のサイズに応じ、前記印刷済み用紙を指定された排出先に振り分け、
前記画像の印刷処理では、前記画像検出部が検出した前記原稿の画像のサイズの印刷が可能な余白を有した前記印刷済み用紙を前記排出先から給紙させ、プリンター部に対し、前記原稿の画像を、給紙させた前記印刷済み用紙の余白に印刷させる
ことを特徴とする画像形成プログラム。
【発明の詳細な説明】
【技術分野】
【０００１】
本発明は、印刷済み用紙の再利用に適した画像形成装置及び画像形成プログラムに関する。
【背景技術】
【０００２】
たとえば、ＭＦＰ(Multifunction Peripheral)等の画像形成装置においては、印刷機能、コピー機能、ＦＡＸ機能、ネットワーク経由でのデータ送受信機能等が搭載されている。ところで、このような画像形成装置では、たとえば印刷済み用紙の再利用を目的とし、印刷済み用紙の画像が形成されていない余白領域への印刷を行うことがある。この場合、印刷済み用紙が大量に有ると、再利用の可能な印刷済み用紙の仕分けが必要となる。
【０００３】
このような印刷済み用紙の仕分けに関するものとして、特許文献１では、余白領域検出手段により、印刷済み用紙の余白領域のサイズを検出し、用紙振り分け手段により、余白領域検出手段が検出した印刷済み用紙の余白領域のサイズに応じたトレイを選択し、選択したトレイに印刷済み用紙を排出する用紙仕分け装置を提案している。
【先行技術文献】
【特許文献】
【０００４】
【特許文献１】特開２０１０−０８９８７９号公報
【発明の概要】
【発明が解決しようとする課題】
【０００５】
上述した特許文献１の用紙仕分け装置では、印刷済み用紙の余白領域のサイズに応じたトレイに、印刷済み用紙を仕分けして排出するので、再利用の可能な印刷済み用紙の仕分けが容易となっている。
【０００６】
ところで、この用紙仕分け装置では、再利用の可能な印刷済み用紙の余白領域を、Ａ５サイズ又はＢ５サイズ以上に限定している。このように、余白領域を、Ａ５サイズ又はＢ５サイズ以上に限定してしまうと、余白領域がＡ５サイズ未満となっている印刷済み用紙は全て再利用不可として扱われてしまう。
【０００７】
また、この用紙仕分け装置では、再利用可とされた印刷済み用紙については、印刷済み用紙の余白領域のサイズに応じたトレイに仕分けして排出されるものの、印刷済み用紙の余白領域に対する印刷の際、仕分けされた印刷済み用紙を再生用紙トレイに導く必要がある。さらに、再生用紙トレイから給紙された印刷済み用紙については、印刷すべき画像のサイズとの比較より印刷可能かどうかを判断する必要がある。
【０００８】
このようなことから、印刷済み用紙の再利用をさらに適切かつ迅速に行うことができる装置の開発が望まれている。
【０００９】
本発明は、このような状況に鑑みてなされたものであり、上記問題点を解消することができる画像形成装置及び画像形成プログラムを提供することを目的とする。
【課題を解決するための手段】
【００１０】
本発明の画像形成装置は、プリンター部と、印刷済み用紙又は原稿の画像を読み取る読み取りデバイスと、前記読み取りデバイスが読み取った画像データを元に、前記原稿の画像のサイズを検出する画像検出部と、前記読み取りデバイスが読み取った画像データを元に、前記印刷済み用紙の余白のサイズを検出する余白検出部と、前記印刷済み用紙の振り分け処理と、前記印刷済み用紙の余白に対する前記画像の印刷処理とを制御するシステム制御部とを備え、前記システム制御部は、前記振り分け処理では、前記余白検出部が検出した余白のサイズに応じ、前記印刷済み用紙を指定された排出先に振り分け、前記画像の印刷処理では、前記画像検出部が検出した前記原稿の画像のサイズの印刷が可能な余白を有した前記印刷済み用紙を前記排出先から給紙させ、前記プリンター部に対し、前記原稿の画像を、給紙させた前記印刷済み用紙の余白に印刷させることを特徴とする。
また、前記システム制御部は、前記余白検出部が検出した余白が複数であるとき、最大サイズの余白を振り分け対象とすることを特徴とする。
本発明の画像形成プログラムは、画像形成装置を制御するコンピューターに実行させる画像形成プログラムであって、読み取りデバイスにより、印刷済み用紙又は原稿の画像を読み取る工程と、画像検出部により、前記読み取りデバイスが読み取った画像データを元に、前記原稿の画像のサイズを検出する工程と、余白検出部により、前記読み取りデバイスが読み取った画像データを元に、前記印刷済み用紙の余白のサイズを検出する工程と、システム制御部により、前記印刷済み用紙の振り分け処理と、前記印刷済み用紙の余白に対する前記画像の印刷処理とを制御する工程とを有し、前記システム制御部は、前記振り分け処理では、前記余白検出部が検出した余白のサイズに応じ、前記印刷済み用紙を指定された排出先に振り分け、前記画像の印刷処理では、前記画像検出部が検出した前記原稿の画像のサイズの印刷が可能な余白を有した前記印刷済み用紙を前記排出先から給紙させ、プリンター部に対し、前記原稿の画像を、給紙させた前記印刷済み用紙の余白に印刷させることを特徴とする。
本発明の画像形成装置及び画像形成プログラムでは、読み取りデバイスにより、印刷済み用紙又は原稿の画像を読み取り、画像検出部により、読み取りデバイスが読み取った画像データを元に、原稿の画像のサイズを検出し、余白検出部により、読み取りデバイスが読み取った画像データを元に、印刷済み用紙の余白のサイズを検出し、システム制御部により、印刷済み用紙の振り分け処理と、印刷済み用紙の余白に対する画像の印刷処理とを制御する。また、システム制御部は、振り分け処理では、余白検出部が検出した余白のサイズに応じ、印刷済み用紙を指定された排出先に振り分け、画像の印刷処理では、画像検出部が検出した原稿の画像のサイズの印刷が可能な余白を有した印刷済み用紙を排出先から給紙させ、プリンター部に対し、原稿の画像を、給紙させた印刷済み用紙の余白に印刷させる。
これにより、振り分け処理では、印刷済み用紙を、余白のサイズに応じて指定された排出先に振り分けることができるので、余白のサイズを任意に設定できる。また、印刷処理では、画像検出部が検出した原稿の画像のサイズの印刷が可能な余白を有した印刷済み用紙を排出先から給紙させるので、振り分け処理と印刷処理とを一連の流れで実行できる。
【発明の効果】
【００１１】
本発明の画像形成装置及び画像形成プログラムによれば、印刷済み用紙の振り分けの際の余白のサイズを任意に設定でき、さらに振り分け処理と印刷処理とを一連の流れで実行できるので、印刷済み用紙の再利用をさらに適切かつ迅速に行うことができる。
【図面の簡単な説明】
【００１２】
【図１】本発明の画像形成装置をＭＦＰに適用した場合の一実施形態を説明するための図である。
【図２】図１のＡＤＦの概要について説明する図であって、図２（ａ）は図１のＡＤＦからの原稿の給紙を説明するための図であり、図２（ｂ）は給紙された原稿を反転させるスイッチバック機構を説明するための図であり、図２（ｃ）はスイッチバック機構によって反転された原稿の搬送を説明するための図である。
【図３】図１の制御部の構成を示す図である。
【図４】図３の余白検出部による余白検出の概要について説明するものであって、図４（ａ）は余白検出部が２つの名刺サイズの余白を検出した場合を示す図であり、図４（ｂ）は余白検出部が名刺サイズの余白とＬ判サイズの余白とを検出した場合を示す図であり、図４（ｃ）は余白検出部が名刺サイズの余白とハガキサイズの余白とを検出した場合を示す図であり、図４（ｄ）は余白検出部がＬ判サイズの余白とＡ５サイズの余白とを検出した場合を示す図であり、図４（ｅ）は余白検出部が用紙の表面側にＬ判サイズの余白とＡ５サイズの余白とを検出し、用紙の裏面側にＡ５サイズの余白を検出した場合を示す図であり、図４（ｆ）は余白検出部が用紙の裏面側の全域を余白として検出した場合を示す図である。
【図５】図１のＭＦＰによる、印刷前の振り分け処理について説明するためのフローチャートである。
【図６】図１のＭＦＰによる、印刷済み用紙の給紙処理について説明するためのフローチャートである。
【発明を実施するための形態】
【００１３】
以下、本発明の画像形成装置の一実施形態を、図１〜図６を参照しながら説明する。なお、以下の説明においての画像形成装置の一例としては、たとえば印刷機能、コピー機能、ＦＡＸ機能、ネットワーク経由でのデータ送受信機能等を搭載した複合的な周辺機器であるＭＦＰ(Multifunction Peripheral)であるものとする。
【００１４】
なお、本実施形態では、後述の印刷済み用紙１３４を余白のサイズに応じて後述のメールボックス１８０の排紙トレイ（Ａ）１８１〜（Ｇ）１８７、又は給紙カセット１３１ａ〜１３１ｇに振り分ける。なお、メールボックス１８０の排紙トレイ（Ａ）１８１〜（Ｇ）１８７に振り分けた印刷済み用紙１３４については、それぞれの余白のサイズに応じて指定された給紙カセット１３１ａ〜１３１ｇに収納する。そして、印刷済み用紙１３４の余白に後述の原稿２００の画像を印刷する場合、画像のサイズに応じた余白を有する印刷済み用紙１３４を（ｃ）有能した給紙カセット１３１ａ〜１３１ｇからの給紙を行わせる。以下、印刷済み用紙１３４の振り分け等についての詳細を、順を追って説明する。
【００１５】
まず、図１に示すように、ＭＦＰ１００の本体１０１Ａの内部には、スキャナー部１０１、制御部１１０、給紙部１３０、プリンター部１４０、定着部１５０、搬送部１６０、両面読み取りセンサー１６７等が搭載されている。なお、符号１７０は給紙トレイ１７１を有するＡＤＦ(Auto Document Feeder)を示し、符号１８０は複数の排紙トレイ（Ａ）１８１〜（Ｇ）１８７を有するメールボックスを示している。排紙トレイ（Ａ）１８１〜（Ｇ）１８７の数については、７個としているが、６個以下であってもよいし、８個以上であってもよい。また、詳細については後述するが、排紙トレイ（Ａ）１８１〜（Ｇ）１８７は余白のサイズに応じて振り分ける際に使用できる。また、印刷済み用紙１３４の振り分けについては、搬送路１６８の複数の経路切り換え部１６８ａ〜１６８ｇによって行われる。
【００１６】
スキャナー部１０１は、詳細については後述するが、たとえばＡＤＦ１７０から自動給紙される原稿２００、又は印刷済み用紙１３４の画像を読み取る。なお、スキャナー部１０１は、片面読み取りの場合、原稿２００、又は印刷済み用紙１３４の画像が形成されている面側（たとえば表面側）を読み取る。また、スキャナー部１０１は、両面読み取りの場合、原稿２００、又は印刷済み用紙１３４の表面側及び裏面側の画像を読み取る。なお、原稿２００にあっては、ＡＤＦ１７０からの自動給紙に限らず、カバー１０７Ｃによって覆われているガラス面を有する原稿台１０１Ｂにセットし、スキャナー部１０１の水平移動によって読み取らせてもよい。
【００１７】
制御部１１０は、各部の動作を制御するものであり、詳細については後述する。給紙部１３０は、用紙サイズや用紙タイプの異なる様々な用紙１３３や印刷済み用紙１３４を収容できる複数の給紙カセット１３１ａ〜１３１ｇを収容する。なお、給紙カセット１３１ａ〜１３１ｇについては、たとえば給紙カセット１３１ａ〜１３１ｅを余白のサイズによって振り分けられた印刷済み用紙１３４として設定できる。また、たとえば給紙カセット１３１ａ〜１３１ｆは、白紙の用紙１３３用として設定できる。また、たとえば給紙カセット１３１ｇは、振り分け前の印刷済み用紙１３４用として設定できる。なお、給紙カセット１３１ａ〜１３１ｇの設定については任意に変更できる。また、給紙カセット１３１ａ〜１３１ｇの数については、図示のように、７個に限定されるものではなく、任意に増減できる。
【００１８】
また、それぞれの給紙カセット１３１ａ〜１３１ｇには、給紙ローラー１３２と引き込みローラー１３２ａとが設けられている。給紙ローラー１３２は、給紙カセット１３１ａ〜１３１ｇからの用紙１３３、又は印刷済み用紙１３４を、搬送部１６０の後述の第１搬送路１６１に送り出す。引き込みローラー１３２ａは、搬送路１６９によって搬送された印刷済み用紙１３４を給紙カセット１３１ａ〜１３１ｇ内部に引き込む。なお、搬送路１６９には、経路切り換え部１６９ａ〜１６９ｆが設けられている。そして、いずれかの経路切り換え部１６９ａ〜１６９ｆの動作により、印刷済み用紙１３４を余白のサイズに応じて指定されたいずれかの給紙カセット１３１ａ〜１３１ｇに振り分ける。
【００１９】
すなわち、たとえば後述の図４に示すように、印刷済み用紙１３４の余白には、名刺サイズの余白ａ、Ｌ判サイズの余白ｂ、ハガキサイズの余白ｃ、Ａ５サイズの余白ｄ等がある。ここで、たとえば給紙カセット１３１ａを名刺サイズの余白ａを有した印刷済み用紙１３４の排出先として設定し、給紙カセット１３１ｂをＬ判サイズの余白ｂを有した印刷済み用紙１３４の排出先として設定し、給紙カセット１３１ｃをハガキサイズの余白ｃを有した印刷済み用紙１３４の排出先として設定し、給紙カセット１３１ｄをＡ５サイズの余白ｄを有した印刷済み用紙１３４の排出先として設定し、給紙カセット１３１ｅを裏面全域に余白を有した印刷済み用紙１３４の排出先として設定しておくことで、余白サイズに応じた印刷済み用紙１３４の振り分けが可能となる。
【００２０】
プリンター部１４０は、図示しない感光体ドラム、現像装置、帯電装置、露光装置等を有する、マゼンタ（Ｍ）、シアン（Ｃ）、イエロー（Ｙ）、ブラック（Ｂ）を含む画像形成ユニット１４１を備えている。また、プリンター部１４０は、１次転写ローラー１４２、駆動ローラー１４３、従動ローラー１４４、中間転写ベルト１４５、２次転写ローラー１４６を有している。画像形成ユニット１４１は、印刷データに基づき、帯電、露光及び現像の工程により図示しない感光体ドラム上にトナー像を形成する。また、１次転写ローラー１４２は、図示しない感光体ドラム上のトナー像を、駆動ローラー１４３及び従動ローラー１４４に張架されている中間転写ベルト１４５上に転写する。２次転写ローラー１４６は、用紙１３３又は印刷済み用紙１３４の裏面側から圧接し、用紙１３３又は印刷済み用紙１３４の表面側に中間転写ベルト１４５上のトナー画像を転写する。
【００２１】
定着部１５０は、加熱ローラー１５１と加圧ローラー１５２とを有している。加熱ローラー１５１は、図示しない熱源制御部によって制御される熱源からの熱を用紙１３３又は印刷済み用紙１３４に与える。加圧ローラー１５２は、用紙１３３又は印刷済み用紙１３４を加熱ローラー１５１側に押しつける。加圧ローラー１５２の加圧力は、図示しない加圧調整機構部によって調整される。そして、定着部１５０は、駆動ローラー１４３と２次転写ローラー１４６とにより、トナー画像が転写された用紙１３３又は印刷済み用紙１３４に対し、加圧ローラー１５２による圧と加熱ローラー１５１による熱とを加える。これにより、用紙１３３又は印刷済み用紙１３４にトナー画像が定着される。なお、図示しない加圧調整機構部は、加圧ローラー１５２を加熱ローラー１５１の方向に押圧する押圧部材、ばね、及びステッピングモーター等の駆動部で構成され、駆動部を動作させて押圧部材を移動させることにより、加圧ローラー１５２の加圧力を調整する。
【００２２】
搬送部１６０は、給紙カセット１３１ａ〜１３１ｇから分岐点１６４まで延びる第１搬送路１６１と、分岐点１６４からメールボックス１８０まで延びる第２搬送路１６２と、分岐点１６４で迂回し第１搬送路１６１に戻る第３搬送路１６３と、ＡＤＦ１７０から第２搬送路１６２まで延びる第４搬送路１６６とを有している。なお、第１搬送路１６１及び第２搬送路１６２は、片面印刷に使用される。また、第３搬送路１６３は、両面印刷に使用される。
【００２３】
搬送部１６０は、給紙カセット１３１ａ〜１３１ｇから分岐点１６４まで延びる第１搬送路１６１と、分岐点１６４からメールボックス１８０まで延びる第２搬送路１６２と、分岐点１６４で迂回し第１搬送路１６１に戻る第３搬送路１６３と、ＡＤＦ１７０から第２搬送路１６２まで延びる第４搬送路１６６とを有している。なお、第１搬送路１６１及び第２搬送路１６２は、片面読み取りに使用される。また、第３搬送路１６３は、両面読み取りに使用される。
【００２４】
ここで、片面印刷では、第１搬送路１６１が用紙１３３又は印刷済み用紙１３４を矢印ａ方向に沿ってプリンター部１４０のトナー画像の転写位置まで搬送し、トナー画像の転写速度に合わせて定着部１５０側に搬送する。さらに、第１搬送路１６１が定着部１５０のトナー画像の定着位置まで搬送し、定着の終えた用紙１３３又は印刷済み用紙１３４を第２搬送路１６２側に搬送する。そして、第２搬送路１６２がトナー画像の定着された用紙１３３又は印刷済み用紙１３４を矢印ａ方向に沿ってメールボックス１８０側に搬送する。
【００２５】
両面印刷では、第１搬送路１６１が用紙１３３又は印刷済み用紙１３４を矢印ａ方向に沿ってプリンター部１４０のトナー画像の転写位置まで搬送し、トナー画像の転写速度に合わせて定着部１５０側に搬送する。さらに、第１搬送路１６１が定着部１５０のトナー画像の定着位置まで搬送し、定着の終えた用紙１３３又は印刷済み用紙１３４を第２搬送路１６２側に搬送する。続いて、第２搬送路１６２がトナー画像の定着された用紙１３３又は印刷済み用紙１３４を矢印ａ方向に沿ってメールボックス１８０側に搬送するが、用紙１３３又は印刷済み用紙１３４の後端が分岐点１６４に差しかかると、第３搬送路１６３が用紙１３３又は印刷済み用紙１３４を矢印ｂ方向に沿って搬送し、第１搬送路１６１に送り出す。このとき、用紙１３３又は印刷済み用紙１３４が反転する（画像が形成されていない裏面側が中間転写ベルト１４５側に向けられる）。以降は、片面印刷と同様に、第２搬送路１６２がトナー画像の転写及び定着を終えた用紙１３３又は印刷済み用紙１３４を矢印ａ方向に沿ってメールボックス１８０側に搬送する。片面印刷及び両面印刷の場合、白紙の用紙１３３又は印刷済み用紙１３４が収容されている給紙カセット１３１ａ〜１３１ｇのいずれかを選択できる。なお、給紙カセット１３１ａ〜１３１ｇは、印刷済み用紙１３４、又は余白のサイズに応じて振り分けられて印刷済み用紙１３４の収納に用いられる。
【００２６】
両面読み取りセンサー１６７は、第１搬送路１６１の上流側に第１搬送路１６１を挟むように配置されている。ここで、たとえば下段の給紙カセット１３１ｇを、印刷済み用紙１３４用として設定している場合、両面読み取りセンサー１６７は給紙カセット１３１ｇから送り出された印刷済み用紙１３４の両面の画像を読み取る。また、後述の図３に示す余白検出部１２０は、両面読み取りセンサー１６７が読み取った画像から余白ａ〜ｄ（後述の図４参照）があるかどうかを確認し、余白ａ〜ｄが有る場合は余白ａ〜ｄのサイズを検出する。なお、余白検出部１２０は、余白ａ〜ｄのサイズの検出に併せて余白ａ〜ｄの位置を検出してもよい。
【００２７】
ＡＤＦ１７０は、本体１７０Ｂの内部に配置された複数の搬送ローラー１７２〜１７７を有している。また、本体１７０Ｂには、給紙口１７８と排出口１７９とが設けられている。給紙トレイ１７１には、複数枚の原稿２００、又は複数枚の印刷済み用紙１３４をセットすることができる。また、給紙トレイ１７１にセットされ原稿２００、又は印刷済み用紙１３４は、図示しない分離機構により１枚ずつに分離される。なお、分離機構としては、サッカー方式やフリクション方式等を採用することができる。
【００２８】
搬送ローラー１７２〜１７６は、後述の図２（ａ）に示すように、点線で示す原稿２００、又は印刷済み用紙１３４の搬送路１７０ａに沿って配置されている。搬送ローラー１７７は、後述の図２（ｂ）に示すように、点線で示す原稿２００、又は印刷済み用紙１３４の搬送路１７０ｂに沿って配置されている。また、搬送路１７０ｂに沿って搬送された原稿２００、又は印刷済み用紙１３４は、後述の図２（ｃ）に示すように、点線で示す搬送路１７０ｃに沿って搬送され、さらに図２（ａ）に示す搬送路１７０ａに沿って搬送され、排出口１７９からカバー１０７Ｃの上面側に排出される。また、搬送路１７０ｂに沿って搬送された原稿２００、又は印刷済み用紙１３４は、後述の図２（ｃ）に示すように、点線で示す搬送路１７０ｃに沿って搬送され、さらに第４搬送路１６６に沿って搬送された後、第２搬送路１６２側に搬送される。ここで、搬送ローラー１７６、１７７、１７３により、スイッチバック機構１７０Ａが構成されている。なお、搬送ローラー１７２〜１７７の配置については、機種毎に異なるものであり、任意に変更してもよい。また、搬送ローラー１７６、１７７、１７３によるスイッチバック機構１７０Ａについても、機種毎に異なるものであり、任意に変更してもよい。
【００２９】
メールボックス１８０は、詳細については後述するが、制御部１１０の制御により、たとえば印刷済み用紙１３４を搬送路１６８によって搬送し、余白のサイズに応じて指定された排紙トレイ（Ａ）１８１〜（Ｇ）１８７への振り分けを行う。なお、搬送路１６８には、経路切り換え部１６８ａ〜１６８ｇが設けられている。そして、いずれかの経路切り換え部１６８ａ〜１６８ｇの動作により、印刷済み用紙１３４を余白のサイズに応じて指定されたいずれかの給紙カセット１３１ａ〜１３１ｇに振り分ける。すなわち、たとえば後述の図４に示すように、印刷済み用紙１３４の余白には、名刺サイズの余白ａ、Ｌ判サイズの余白ｂ、ハガキサイズの余白ｃ、Ａ５サイズの余白ｄ等がある。ここで、たとえば排紙トレイ（Ａ）１８１を名刺サイズの余白ａを有した印刷済み用紙１３４の排出先として設定し、排紙トレイ（Ｂ）１８２をＬ判サイズの余白ｂを有した印刷済み用紙１３４の排出先として設定し、排紙トレイ（Ｃ）１８３をハガキサイズの余白ｃを有した印刷済み用紙１３４の排出先として設定し、排紙トレイ（Ｄ）１８４をＡ５サイズの余白ｄを有した印刷済み用紙１３４の排出先として設定し、排紙トレイ（Ｅ）１８５を裏面全域に余白を有した印刷済み用紙１３４の排出先として設定しておくことで、余白サイズに応じた印刷済み用紙１３４の振り分けが可能となる。
【００３０】
また、たとえば排紙トレイ（Ｆ）１８６を余白に画像が印刷された印刷済み用紙の１３４の排出先として設定し、たとえば排紙トレイ（Ｇ）１８７を再利用不可の印刷済み用紙１３４の排出先として設定しておくことで、他の印刷済み用紙１３４との区別が容易となる。なお、排紙トレイ（Ａ）１８１〜（Ｇ）１８７が７個未満である場合、メールボックス１８０によりシフト排出を行わせてもよい。ここで、シフト排出とは、たとえば排紙トレイ（Ａ）１８１に、基準位置と、基準位置から排出方向と直交する方向（用紙幅方向）に一定量シフトしたシフト位置とを設け、余白ａ〜ｄに画像が印刷された印刷済み用紙１３４を基準位置に排出し、たとえば再利用不可とされた印刷済み用紙１３４をシフト位置に排出することである。これにより、たとえば排紙トレイ（Ａ）１８１に、余白ａ〜ｄに画像が印刷された印刷済み用紙１３４と、たとえば名刺サイズの余白ａ未満で有って再利用不可と判断した印刷済み用紙１３４とが排出されても、余白ａ〜ｄに画像が印刷された印刷済み用紙１３４と再利用不可とされた印刷済み用紙１３４とを区別できる。
【００３１】
次に、図２を参照し、ＡＤＦ１７０の概要について説明する。なお、ＡＤＦ１７０は、原稿２００、又は印刷済み用紙１３４を自動給紙する。また、ＡＤＦ１７０は、原稿２００、又は仕分け前の印刷済み用紙１３４の排出先を指定に応じて変更する。すなわち、ＡＤＦ１７０は、原稿２００の場合、後述のカバー１０７Ｃの上面側を排出先とする。また、ＡＤＦ１７０は、仕分け前の印刷済み用紙１３４の場合、後述の第４搬送路１６６を排出先とする。
【００３２】
まず、図２（ａ）に示すように、搬送ローラー１７２は、本体１７０Ｂの給紙口１７８の近傍に配置されており、上述の図示しない分離機構により分離された原稿２００、又は印刷済み用紙１３４の表裏面に圧接し、給紙トレイ１７１上の原稿２００、又は印刷済み用紙１３４の一番上側の１枚を回転しながら本体１７０Ｂ内部に引き込み、スキャナー部１０１側に送り出す。
【００３３】
搬送ローラー１７３は、図２（ａ）、（ｂ）に示す搬送路１７０ａ、１７０ｂ上において搬送ローラー１７２の下流側に位置し、搬送ローラー１７２が送り出した原稿２００、又は印刷済み用紙１３４を搬送路１７０ａ、１７０ｂに沿って下流側の搬送ローラー１７４側に送り出す。搬送ローラー１７４は、図２（ａ）、（ｂ）に示す搬送路１７０ａ、１７０ｂ上において搬送ローラー１７３の下流側に位置し、搬送ローラー１７３が送り出した原稿２００を搬送路１７０ａ、１７０ｂに沿って下流側のスキャナー部１０１側に送り出す。
【００３４】
スキャナー部１０１は、搬送路１７０ａ、１７０ｂ上において搬送ローラー１７４の下流側に位置し、搬送ローラー１７４が送り出した原稿２００、又は印刷済み用紙１３４を読み取る。すなわち、スキャナー部１０１は、搬送路１７０ａ、１７０ｂの下方側に位置し、たとえば片面読み取り設定が指定された場合、原稿２００、又は印刷済み用紙１３４の表面側を読み取る。一方、両面読み取り設定が指定された場合、スキャナー部１０１は、原稿２００、又は印刷済み用紙１３４の裏面側も読み取る。この場合、原稿２００、又は印刷済み用紙１３４の裏面側は、上述したスイッチバック機構１７０Ａにより、図２（ｃ）に示す搬送路１７０ｃに沿って送り出されることで反転し、スキャナー部１０１により読み取られる。
【００３５】
ここで、表面側とは、給紙トレイ１７１にセットされた原稿２００、又は印刷済み用紙１３４の上方に向けられている面側である。片面読み取り設定が指定された原稿２００は、表面側がスキャナー部１０１により読み取られ、搬送路１７０ａに沿って搬送された後、排出口１７９からカバー１０７Ｃの上面側に排出される。両面読み取り設定が指定された原稿２００は、一定速度で搬送される原稿２００、又は印刷済み用紙１３４の表面側がスキャナー部１０１により読み取られた後、スイッチバック機構１７０Ａによって反転され、原稿２００、又は印刷済み用紙１３４の裏面側がスキャナー部１０１によって読み取られ、搬送路１７０ａに沿って搬送される。
【００３６】
搬送ローラー１７５は、搬送路１７０ａ、１７０ｂ上においてスキャナー部１０１の下流側に位置し、搬送ローラー１７４が送り出した原稿２００、又は印刷済み用紙１３４を、搬送路１７０ｃに沿って本体１７０Ｂの排出口１７９側に送り出す。搬送ローラー１７６は、搬送路１７０ａ、１７０ｂ上において搬送ローラー１７５の下流側に位置し、片面読み取り設定が指定された場合、搬送ローラー１７４が送り出した原稿２００、又は印刷済み用紙１３４を、搬送路１７０ａに沿って排出口１７９から排出する。また、搬送ローラー１７６は、両面読み取り設定が指定された場合、排出口１７９から排出した原稿２００、又は印刷済み用紙１３４を搬送ローラー１７７側に送り出す。
【００３７】
搬送ローラー１７７は、図２（ｂ）に示すように、搬送路１７０ｂ上において搬送ローラー１７６の下流側に位置し、搬送ローラー１７６が送り出した原稿２００、又は印刷済み用紙１３４を、搬送路１７０ｂに沿って搬送ローラー１７３側に送る。なお、搬送ローラー１７３側に送られた原稿２００、又は印刷済み用紙１３４は、図２（ｃ）に示すように、搬送路１７０ｃに沿ってスキャナー部１０１側に送られ、スキャナー部１０１により読み取られる。ここで、読み取られる原稿２００、又は印刷済み用紙１３４の面は、スイッチバック機構１７０Ａによって反転された裏面側である。そして、スキャナー部１０１により読み取られた原稿２００は、搬送路１７０ｃに沿って搬送され、さらに図２（ａ）に示す搬送路１７０ａに沿って搬送され、排出口１７９からカバー１０７Ｃの上面側に排出される。なお、印刷済み用紙１３４の場合は、スキャナー部１０１によって両面が読み取られると、第４搬送路１６６に沿って搬送された後、第２搬送路１６２側に搬送される。
【００３８】
次に、図３を参照し、図１の制御部１１０の構成について説明する。制御部１１０は、スキャナー部１０１、プリンター部１４０、ＦＡＸ(Facsimile)部１０２、Ｉ／Ｆ（インターフェース）１０３、両面読み取りセンサー１６７、パネル部１０４及びＨＤＤ１０５の動作を制御する。
【００３９】
スキャナー部１０１は、イメージセンサ（図示省略）によって読み取られる、原稿２００、又は印刷済み用紙１３４上の画像をデジタルの画像データに変換し、制御部１１０に入力するデバイスである。プリンター部１４０は、制御部１１０から出力される印刷データに基づき、白紙の用紙１３３、又は印刷済み用紙１３４の余白ａ〜ｄ（後述の図４参照）等に画像を印刷するデバイスである。ＦＡＸ部１０２は、制御部１１０から出力されるデータを、電話回線を通じ相手方となるファクシミリへと送信し、また、相手方ファクシミリからのデータを受信して制御部１１０に入力するデバイスである。
【００４０】
Ｉ／Ｆ１０３は、ネットワークを介し、他のＭＦＰ１００やユーザー端末等との通信を受け持つ。なお、Ｉ／Ｆ１０３は、図示しないコンテンツサーバーやウェブサーバー等との通信を受け持ってもよい。両面読み取りセンサー１６７は、たとえば給紙カセット１３１ｇから給紙された印刷済み用紙１３４の両面の画像を読み取る。パネル部１０４は、たとえばＭＦＰ１００の印刷機能、コピー機能、ＦＡＸ機能、ネットワーク経由でのデータ送受信機能や、各種設定のための表示を行うタッチパネルとハードウェアキーとを有するデバイスである。ＨＤＤ１０５は、ＭＦＰ１００の種々の機能を提供するためのアプリケーションプログラム等を記憶している記憶デバイスである。また、ＨＤＤ１０５は、ユーザー端末側から登録された印刷ジョブを記憶するユーザーボックスを有している。
【００４１】
制御部１１０は、認証プログラム等のアプリケーションプログラム、画像形成プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、ＥＥＰＲＯＭ(electrically erasable and programmable read-only memory)１１６、センサー制御部１１７、画像処理部１１８、画像検出部１１９、余白検出部１２０、パネル操作制御部１２１、ＨＤＤ制御部１２２、システム制御部１２３を備えている。また、これらは、データバス１２４に接続されている。
【００４２】
スキャナー制御部１１１は、スキャナー部１０１の読み取り動作を制御する。プリンター制御部１１２は、プリンター部１４０の印刷動作を制御する。ＦＡＸ制御部１１３は、ＦＡＸ部１０２によるデータの送受信動作を制御する。通信制御部１１４は、Ｉ／Ｆ１０３を介し、ネットワーク経由でのデータ等の送受信の制御を行う。ＲＡＭ１１５は、プログラムを実行するためのワークメモリーである。また、ＲＡＭ１１５は、画像処理部１１８によって画像処理（ラスタライズ）された印刷データを記憶する。ＥＥＰＲＯＭ１１６には、各部の動作チェックや起動シーケンスを生成する制御プログラム等が記憶されている。
【００４３】
センサー制御部１１７は、両面読み取りセンサー１６７の読み取り動作を制御する。画像処理部１１８は、スキャナー部１０１によって読み取られた画像データに対する画像処理（ラスタライズ）を行う。また、画像処理部１１８は、ＨＤＤ１０５のユーザーボックスに登録された印刷ジョブに対する画像処理（ラスタライズ）を行う。なお、システム制御部１２３は、画像処理部１１８が画像処理（ラスタライズ）した印刷データを、一旦、ＲＡＭ１１５に記憶させる。
【００４４】
画像検出部１１９は、スキャナー部１０１が読み取った原稿２００、又は印刷済み用紙１３４の画像データを元に、画像が有るかどうかを確認し、画像が有る場合は画像のサイズを検出する。なお、画像検出部１１９が画像を検出する際、スキャナー部１０１が読み取った画像データを元に、たとえば黒データの有る領域を検出する。これにより、システム制御部１２３は、画像のサイズが、たとえば名刺サイズの程度であるか、Ｌ判サイズの程度であるか、ハガキサイズの程度であるか、Ａ５サイズの程度であるかを判断できる。また、画像検出部１１９は、スキャナー部１０１が読み取った原稿２００の画像のサイズを検出する以外に、印刷データに基づいた画像のサイズを検出してもよい。
【００４５】
余白検出部１２０は、両面読み取りセンサー１６７、又はスキャナー部１０１が読み取った画像データを元に、余白ａ〜ｄ（後述の図４参照）が有るかどうかを確認し、余白ａ〜ｄが有る場合は余白ａ〜ｄのサイズを検出する。また、余白検出部１２０は、余白ａ〜ｄが複数ある場合、それぞれの余白ａ〜ｄのサイズを検出する。なお、余白検出部１２０は、余白ａ〜ｄのサイズの検出に併せて余白ａ〜ｄの位置を検出してもよい。また、余白検出部１２０が余白ａ〜ｄを検出する際、両面読み取りセンサー１６７、又はスキャナー部１０１が読み取った画像データを元に、たとえば黒データの無い領域を検出する。
【００４６】
パネル操作制御部１２１は、パネル部１０４の表示動作を制御する。また、パネル操作制御部１２１は、パネル部１０４を介し、印刷、コピー、ＦＡＸ、ネットワーク経由でのデータ送受信等の設定を受け付ける。また、パネル操作制御部１２１は、パネル部１０４を介し、印刷済み用紙１３４の給紙カセット１３１ｇの指定、原稿２００、又は印刷済み用紙１３４の片面読み取り、又は両面読み取りの指定、余白サイズの指定等を受け付ける。余白サイズの指定は、余白検出部１２０が画像検出部１１９の検出した画像のサイズ以上の余白ａ〜ｄを複数検出した場合、どのサイズの余白ａ〜ｄを、画像を印刷する余白として振り分けるかを指定することである。この場合、余白サイズの指定を、たとえば「最も大きいサイズ」、「最も小さいサイズ」の２通りから選択させるようにしてもよい。これにより、たとえば「最も大きいサイズ」が選択された場合は、最もサイズの大きい余白ａ〜ｄを振り分け対象とすることができる。「最も小さいサイズ」が選択された場合は、最も小さい余白ａ〜ｄを振り分け対象とすることができる。
【００４７】
ＨＤＤ制御部１２２は、ＨＤＤ１０５に対するデータの読み出し及び書き込み等を制御する。システム制御部１２３は、各部の連携動作等を制御する。また、システム制御部１２３は、パネル操作制御部１２１がパネル部１０４を介してＡＤＦ１７０での原稿２００、又は印刷済み用紙１３４の片面読み取り、又は両面読み取りの指定を受け付けると、ＡＤＦ１７０での原稿２００、又は印刷済み用紙１３４を搬送し、スキャナー制御部１１１によるスキャナー部１０１によっての原稿２００、又は印刷済み用紙１３４の画像の読み取り、両面読み取りセンサー１６７による印刷済み用紙１３４の画像の読み取り、画像検出部１１９による原稿２００、又は印刷済み用紙１３４の画像の検出、余白検出部１２０による印刷済み用紙１３４の余白ａ〜ｄの検出等を指示する。
【００４８】
また、システム制御部１２３は、余白検出部１２０の検出した後述の余白ａ〜ｄのサイズが画像検出部１１９の検出した画像のサイズより小さい場合、プリンター制御部１１２に対し、印刷済み用紙１３４の空送りを指示する。また、システム制御部１２３は、余白検出部１２０の検出した後述の余白ａ〜ｄのサイズが画像検出部１１９の検出した画像のサイズ以上である場合、プリンター制御部１１２に対し、印刷済み用紙１３４への印刷を指示する。また、システム制御部１２３は、余白検出部１２０が画像検出部１１９の検出した画像のサイズ以上の余白ａ〜ｄを複数検出した場合、パネル部１０４を介しての指定に従った余白ａ〜ｄに画像を印刷させる。また、システム制御部１２３は、印刷前の印刷済み用紙１３４の振り分け処理では、余白検出部１２０が検出した余白のサイズに応じて給紙カセット１３１ａ〜１３１ｇ、又は排紙トレイ（Ａ）１８１〜（Ｇ）１８７での振り分けを指示する。また、システム制御部１２３は、印刷時での印刷済み用紙１３４の振り分け処理でも同様に、余白検出部１２０が検出した余白の大きさに応じて排紙トレイ（Ａ）１８１〜（Ｇ）１８７、又は給紙カセット１３１ａ〜１３１ｇでの振り分けを指示できる。
【００４９】
次に、図４を参照し、余白検出の概要について説明する。なお、以下に示す図は、両面読み取りセンサー１６７、又はスキャナー部１０１が読み取った印刷済み用紙１３４のイメージ画像である。また、以下の図に示す余白ａ〜ｄは、余白検出部１２０が検出したものである。また、図４（ａ）〜図４（ｄ）に示す印刷済み用紙１３４については表面側にのみ余白ａ〜ｄが有る場合を示し、図４（ｅ）に示す印刷済み用紙１３４については表面側と裏面側とに余白ｂ〜ｄが有る場合を示し、図４（ｆ）に示す印刷済み用紙１３４については裏面側の全域が余白である場合を示している。また、余白検出部１２０が検出する余白ａ〜ｄは、たとえば名刺サイズ以上としている。
【００５０】
まず、図４（ａ）は、余白検出部１２０が２つの余白ａを検出した場合を示している。
ここで、余白ａは、たとえば名刺サイズとする。図４（ａ）の例では、余白ａが印刷済み用紙１３４の表面側の右上と右下に位置している。また、余白検出部１２０は、２つの余白ａのサイズと位置とを検出する。
【００５１】
図４（ｂ）は、余白検出部１２０が複数の余白ａ、ｂを検出した場合を示している。ここで、余白ａは、たとえば名刺サイズとする。また、余白ｂは、たとえばＬ判サイズとする。図４（ｂ）の例では、余白ａが印刷済み用紙１３４の表面側の右上に位置し、余白ｂが印刷済み用紙１３４の表面側の右下に位置している。また、余白検出部１２０は、余白ａ、ｂのサイズと位置とを検出する。
【００５２】
図４（ｃ）は、余白検出部１２０が複数の余白ａ、ｃを検出した場合を示している。ここで、余白ａは、たとえば名刺サイズとする。また、余白ｃは、たとえばハガキサイズとする。図４（ｃ）の例では、余白ａが印刷済み用紙１３４の表面側の右上に位置し、余白ｃが印刷済み用紙１３４の表面側の右下に位置している。また、余白検出部１２０は、余白ａ、ｃのサイズと位置とを検出する。
【００５３】
図４（ｄ）は、余白検出部１２０が複数の余白ｂ、ｄを検出した場合を示している。ここで、余白ｂは、たとえばＬ判サイズとする。また、余白ｄは、たとえばＡ５サイズとする。図４（ｄ）の例では、余白ｂが印刷済み用紙１３４の表面側の右上に位置し、余白ｄが印刷済み用紙１３４の表面側の下段に位置している。また、余白検出部１２０は、余白ｂ、ｄのサイズと位置とを検出する。
【００５４】
図４（ｅ）は、余白検出部１２０が複数の余白ｂ、ｄを検出した場合を示している。ここで、余白ｂは、たとえばＬ判サイズとする。また、余白ｄは、Ａ５サイズとする。図４（ｅ）の例では、余白ｂが印刷済み用紙１３４の表面側の右上に位置し、余白ｄが印刷済み用紙１３４の表面側の下段に位置している。また、余白ｄが印刷済み用紙１３４の裏面側の下段に位置している。また、余白検出部１２０は、余白ｂ、ｄのサイズと位置とを検出する。図４（ｆ）は、余白検出部１２０が裏面側の全域の余白とを検出した場合を示している。
【００５５】
次に、図５を参照し、印刷済み用紙１３４の振り分け処理について説明する。なお、以下では、印刷済み用紙１３４はＡＤＦ１７０の給紙トレイ１７１にセットされるものとする。また、ＡＤＦ１７０の給紙トレイ１７１にセットされる印刷済み用紙１３４は、複数枚として説明する。また、印刷済み用紙１３４の画像の読み取りは、両面読み取りが指定されているものとして説明する。また、印刷済み用紙１３４は、余白が検出された後、給紙カセット１３１ａ〜１３１ｇのいずれかに振り分けられるものとする。また、以下では、名刺サイズ以上の余白ａを有した印刷済み用紙１３４を再利用可とする。
【００５６】
（ステップＳ１０１）
システム制御部１２３は、ＡＤＦ１７０に対し、印刷済み用紙１３４の給紙を指示する。  このとき、ＡＤＦ１７０側では、図２（ａ）に示したように、搬送ローラー１７２が給紙トレイ１７１上の印刷済み用紙１３４の内部に引き込む。また、搬送ローラー１７３、１７４が印刷済み用紙１３４をスキャナー部１０１側に送り出す。
【００５７】
（ステップＳ１０２）
システム制御部１２３は、印刷済み用紙１３４の読み取りと、余白ａ〜ｄの検出とを指示する。
この場合、システム制御部１２３は、センサー制御部１１７に対し、両面読み取りセンサー１６７による印刷済み用紙１３４の読み取りを指示する。また、システム制御部１２３は、余白検出部１２０に対し余白ａ〜ｄの検出を指示する。
このとき、ＡＤＦ１７０側では、搬送ローラー１７３、１７４が印刷済み用紙１３４をスキャナー部１０１側に送り出すと、スキャナー部１０１が印刷済み用紙１３４の表面側の画像を読み取る。そして、搬送ローラー１７５、１７６が印刷済み用紙１３４を排出口１７９からカバー１０７Ｃの上面側に排出させる。
また、搬送ローラー１７７は、図２（ｂ）に示したように、搬送ローラー１７６が送り出した印刷済み用紙１３４を、搬送路１７０ｂに沿って搬送ローラー１７３側に送る。なお、搬送ローラー１７３側に送られた印刷済み用紙１３４は、図２（ｃ）に示したように、搬送路１７０ｃに沿ってスキャナー部１０１側に送られ、スキャナー部１０１により読み取られる。ここで、読み取られる印刷済み用紙１３４の面は、スイッチバック機構１７０Ａによって反転された裏面側である。そして、スキャナー部１０１により読み取られた印刷済み用紙１３４は、搬送路１７０ｃに沿って搬送され、さらに第４搬送路１６６に沿って搬送された後、第２搬送路１６２側に搬送される。
【００５８】
（ステップＳ１０３）
システム制御部１２３は、余白ａ〜ｄの検出が完了したかどうかを判断する。
この場合、システム制御部１２３は、余白検出部１２０からの余白ａ〜ｄの検出を終えたことを示す通知が無ければ余白ａ〜ｄの検出が完了していないと判断する（ステップＳ１０３：Ｎｏ）。
これに対し、システム制御部１２３は、余白検出部１２０からの余白ａ〜ｄの検出を終えたことを示す通知が有れば余白ａ〜ｄの検出が完了したと判断し（ステップＳ１０３：Ｙｅｓ）、ステップＳ１０４に移行する。
【００５９】
（ステップＳ１０４）
システム制御部１２３は、再利用可のサイズ以上の余白ａ〜ｄが有るかどうかを判断する。
ここで、余白検出部１２０は、図４（ａ）に示す名刺サイズの余白ａより小さい余白を検出したとする。
この場合、システム制御部１２３は、再利用可のサイズ以上の余白ａ〜ｄが無いと判断し（ステップＳ１０４：Ｎｏ）、ステップＳ１０８に移行する。
一方、余白検出部１２０は、図４（ａ）のように、名刺サイズの余白ａのみを検出したとする。また、余白検出部１２０は、図４（ｂ）のように、名刺サイズの余白ａとＬ判サイズの余白ｂとを検出したとする。また、余白検出部１２０は、図４（ｃ）のように、名刺サイズの余白ａとハガキサイズの余白ｃとを検出したとする。また、余白検出部１２０は、図４（ｄ）のように、Ｌ判サイズの余白ｂとＡ５サイズの余白ｄとを検出したとする。また、余白検出部１２０は、図４（ｅ）のように、表面側にＬ判サイズの余白ｂとＡ５サイズの余白ｄとを検出し、裏面側にＡ５サイズの余白ｄを検出したとする。また、余白検出部１２０は、図４（ｆ）のように、裏面側の全域に余白を検出したとする。
この場合、システム制御部１２３は、再利用可のサイズ以上の余白ａ〜ｄが有ると判断し（ステップＳ１０４：Ｙｅｓ）、ステップＳ１０５に移行する。
【００６０】
（ステップＳ１０５）
システム制御部１２３は、再利用可のサイズ以上の余白ａ〜ｄが複数有るかどうかを判断する。
ここで、余白検出部１２０は、たとえば図４（ｆ）のように、裏面側の全域に余白を検出したとする。この場合、システム制御部１２３は、再利用可のサイズ以上の余白ａ〜ｄが複数無いと判断し（ステップＳ１０５：Ｎｏ）、ステップＳ１０７に移行する。
一方、余白検出部１２０は、たとえば図４（ｂ）のように、名刺サイズの余白ａとＬ判サイズの余白ｂとを検出したとする。この場合、システム制御部１２３は、再利用可のサイズ以上の余白ａ〜ｄが複数有ると判断し（ステップＳ１０５：Ｙｅｓ）、ステップＳ１０６に移行する。
【００６１】
（ステップＳ１０６）
システム制御部１２３は、最もサイズの大きい余白ａ〜ｄを振り分けの対象とする。
ここで、余白検出部１２０は、図４（ａ）のように、名刺サイズの余白ａのみを検出したとする。この場合、システム制御部１２３は、名刺サイズの余白ａを振り分けの対象とする。
また、余白検出部１２０は、図４（ｂ）のように、名刺サイズの余白ａとＬ判サイズの余白ｂとを検出したとする。この場合、システム制御部１２３は、Ｌ判サイズの余白ｂを振り分けの対象とする。
また、余白検出部１２０は、図４（ｃ）のように、名刺サイズの余白ａとハガキサイズの余白ｃとを検出したとする。この場合、システム制御部１２３は、ハガキサイズの余白ｃを振り分けの対象とする。
また、余白検出部１２０は、図４（ｄ）のように、Ｌ判サイズの余白ｂとＡ５サイズの余白ｄとを検出したとする。この場合、システム制御部１２３は、Ａ５サイズの余白ｄを振り分けの対象とする。
また、余白検出部１２０は、図４（ｅ）のように、表面側にＬ判サイズの余白ｂとＡ５サイズの余白ｄとを検出し、裏面側にＡ５サイズの余白ｄを検出したとする。この場合、システム制御部１２３は、裏面側のＡ５サイズの余白ｄを振り分けの対象とする。
【００６２】
（ステップＳ１０７）
システム制御部１２３は、再利用可の印刷済み用紙１３４を振り分けさせる。
ここで、たとえば給紙カセット１３１ａが名刺サイズの余白ａを有した印刷済み用紙１３４の排出先として設定され、給紙カセット１３１ｂがＬ判サイズの余白ｂを有した印刷済み用紙１３４の排出先として設定され、給紙カセット１３１ｃがハガキサイズの余白ｃを有した印刷済み用紙１３４の排出先として設定され、給紙カセット１３１ｄがＡ５サイズの余白ｄを有した印刷済み用紙１３４の排出先として設定され、給紙カセット１３１ｅが裏面全域に余白を有した印刷済み用紙１３４の排出先として設定されているとする。
この場合、システム制御部１２３は、振り分けの対象が図４（ａ）に示す名刺サイズの余白ａであるとき、メールボックス１８０に対し、排出先を給紙カセット１３１ａとした指示を出す。また、システム制御部１２３は、振り分けの対象が図４（ｂ）に示すＬ判サイズの余白ｂであるとき、メールボックス１８０に対し、排出先を給紙カセット１３１ｂとした指示を出す。また、システム制御部１２３は、振り分けの対象が図４（ｃ）に示すハガキサイズの余白ｃであるとき、メールボックス１８０に対し、排出先を給紙カセット１３１ｃとした指示を出す。また、システム制御部１２３は、振り分けの対象が図４（ｄ）又は図４（ｅ）に示すＡ５サイズの余白ｄであるとき、メールボックス１８０に対し、排出先を給紙カセット１３１ｄとした指示を出す。また、システム制御部１２３は、振り分けの対象が図４（ｆ）に示す裏面全域が余白であるとき、メールボックス１８０に対し、排出先を給紙カセット１３１ｅとした指示を出す。
これにより、メールボックス１８０は、第２搬送路１６２を介して受け取った印刷済み用紙１３４を、搬送路１６８及び１６９で搬送し、経路切り換え部１６８ａ〜１６８ｆのいずれかの切り替えにより、指定された給紙カセット１３１ａ〜１３１ｇ給紙カセット１３１ａに排出させる。
【００６３】
（ステップＳ１０８）
システム制御部１２３は、メールボックス１８０に対し、再利用不可の印刷済み用紙１３４を振り分けさせる。
ここで、たとえば給紙カセット１３１ｆが再利用不可の印刷済み用紙１３４の排出先として設定されているとする。
この場合、システム制御部１２３は、メールボックス１８０に対し、排出先を給紙カセット１３１ｆとした指示を出す。
これにより、メールボックス１８０は、第２搬送路１６２を介して受け取った印刷済み用紙１３４を、搬送路１６８及び１６９で搬送し、経路切り換え部１６８ｆの切り替えにより、指定された給紙カセット１３１ｆに排出させる。
【００６４】
次に、図６を参照し、印刷済み用紙１３４の給紙処理について説明する。なお、以下では、原稿２００がＡＤＦ１７０の給紙トレイ１７１にセットされるものとする。また、原稿２００の読み取りは、片面読み取りとする。また、給紙カセット１３１ａには余白の最大サイズが名刺サイズとなっている印刷済み用紙１３４が収納され、給紙カセット１３１ｂには余白の最大サイズがＬ判サイズとなっている印刷済み用紙１３４が収納され、給紙カセット１３１ｃには余白の最大サイズがハガキサイズとなっている印刷済み用紙１３４が収納され、給紙カセット１３１ｄには余白の最大サイズがＡ５サイズとなっている印刷済み用紙１３４が収納され、給紙カセット１３１ｅには裏面全域が余白となっている印刷済み用紙１３４が収納されているとする。
【００６５】
（ステップＳ２０１）
システム制御部１２３は、原稿２００の読み取りを指示する。
この場合、システム制御部１２３は、ＡＤＦ１７０に対し原稿２００の給紙を指示する。また、システム制御部１２３は、片面読み取り設定が指定されていることを確認し、ＡＤＦ１７０に対し、片面読み取りを指示する。また、システム制御部１２３は、スキャナー制御部１１１に対し、スキャナー部１０１による読み取りを指示する。
ここで、ＡＤＦ１７０において、片面読み取りを行うとき、図２（ａ）に示したように、搬送ローラー１７２が給紙トレイ１７１上の原稿２００の内部に引き込む。また、搬送ローラー１７３、１７４が原稿２００をスキャナー部１０１側に送り出すと、スキャナー部１０１が原稿２００の表面側の画像を読み取る。そして、搬送ローラー１７５、１７６が原稿２００を排出口１７９からカバー１０７Ｃの上面側に排出させる。
【００６６】
（ステップＳ２０２）
システム制御部１２３は、原稿２００の読み取りが完了したかどうかを判断する。
この場合、システム制御部１２３は、スキャナー制御部１１１からの原稿２００の読み取りを終えたことを示す通知が無ければ原稿２００の読み取りが完了していないと判断する（ステップＳ２０２：Ｎｏ）。
これに対し、システム制御部１２３は、スキャナー制御部１１１からの原稿２００の読み取りを終えたことを示す通知が有れば原稿２００の読み取りが完了したと判断し（ステップＳ２０２：Ｙｅｓ）、ステップＳ２０３に移行する。
【００６７】
（ステップＳ２０３）
システム制御部１２３は、原稿２００の画像のサイズの検出を指示する。
この場合、システム制御部１２３は、画像検出部１１９に対し、原稿２００の画像のサイズの検出を指示する。
このとき、画像検出部１１９は、スキャナー部１０１が読み取った画像データを元に、たとえば黒データの有る領域を検出する。これにより、システム制御部１２３は、画像のサイズが、たとえば名刺サイズの程度であるか、Ｌ判サイズの程度であるか、ハガキサイズの程度であるか、Ａ５サイズの程度であるかを判断できる。
【００６８】
（ステップＳ２０４）
システム制御部１２３は、給紙カセット１３１ａ〜１３１ｇからの印刷済み用紙１３４の給紙を指示する。
このとき、システム制御部１２３は、画像検出部１１９が名刺サイズの程度の画像を検出した場合、余白の最大サイズが名刺サイズとなっている印刷済み用紙１３４を収容している給紙カセット１３１ａからの給紙を指示する。また、システム制御部１２３は、画像検出部１１９がＬ判サイズの程度の画像を検出した場合、余白の最大サイズがＬ判サイズとなっている印刷済み用紙１３４を収容している給紙カセット１３１ｂからの給紙を指示する。また、システム制御部１２３は、画像検出部１１９がハガキサイズの程度の画像を検出した場合、余白の最大サイズがハガキサイズとなっている印刷済み用紙１３４を収容している給紙カセット１３１ｃからの給紙を指示する。また、システム制御部１２３は、画像検出部１１９がＡ５サイズの程度の画像を検出した場合、余白の最大サイズがＡ５サイズとなっている印刷済み用紙１３４を収容している給紙カセット１３１ｄからの給紙を指示する。また、システム制御部１２３は、画像検出部１１９がＡ５サイズを超える画像を検出した場合、裏面側の全域が余白となっている印刷済み用紙１３４を収容している給紙カセット１３１ｅからの給紙を指示する。
このとき、給紙カセット１３１ｇの給紙ローラー１３２は、いずれかの給紙カセット１３１ａ〜１３１ｅからの印刷済み用紙１３４を搬送部１６０の第１搬送路１６１に送り出す。
【００６９】
（ステップＳ２０５）
システム制御部１２３は、印刷済み用紙１３４の余白ａ〜ｄへの印刷を指示する。
ここで、システム制御部１２３は、画像検出部１１９が検出した画像が名刺サイズの程度であるとき、給紙カセット１３１ａから給紙させた印刷済み用紙１３４を第１搬送路１６１に沿ってプリンター部１４０まで搬送させる。そして、システム制御部１２３は、プリンター部１４０で印刷済み用紙１３４の余白ａに画像を印刷させた後、第２搬送路１６２に沿ってメールボックス１８０側に搬送させる。
また、システム制御部１２３は、画像検出部１１９が検出した画像がＬ判サイズの程度であるとき、給紙カセット１３１ｂから給紙させた印刷済み用紙１３４を第１搬送路１６１に沿ってプリンター部１４０まで搬送させる。そして、システム制御部１２３は、プリンター部１４０で印刷済み用紙１３４の余白ｂに画像を印刷させた後、第２搬送路１６２に沿ってメールボックス１８０側に搬送させる。
また、システム制御部１２３は、画像検出部１１９が検出した画像がハガキサイズの程度であるとき、給紙カセット１３１ｃから給紙させた印刷済み用紙１３４を第１搬送路１６１に沿ってプリンター部１４０まで搬送させる。そして、システム制御部１２３は、プリンター部１４０で印刷済み用紙１３４の余白ｃに画像を印刷させた後、第２搬送路１６２に沿ってメールボックス１８０側に搬送させる。
また、システム制御部１２３は、画像検出部１１９が検出した画像がＡ５サイズの程度であるとき、給紙カセット１３１ｄから給紙させた印刷済み用紙１３４を第１搬送路１６１に沿ってプリンター部１４０まで搬送させる。そして、システム制御部１２３は、プリンター部１４０で印刷済み用紙１３４の余白ｄに画像を印刷させた後、第２搬送路１６２に沿ってメールボックス１８０側に搬送させる。
また、システム制御部１２３は、画像検出部１１９が検出した画像がＡ５サイズを超えているとき、給紙カセット１３１ｅから給紙させた印刷済み用紙１３４を第１搬送路１６１に沿ってプリンター部１４０まで搬送させる。そして、システム制御部１２３は、プリンター部１４０で印刷済み用紙１３４の全域の余白に画像を印刷させた後、第２搬送路１６２に沿ってメールボックス１８０側に搬送させる。なお、印刷済み用紙１３４の余白が下向きとなっているとき、印刷済み用紙１３４を両面印刷で使用される第３搬送路１６３で反転させた後、第１搬送路１６１に沿ってプリンター部１４０まで搬送させる。
【００７０】
（ステップＳ２０６）
システム制御部１２３は、メールボックス１８０に対し、排紙トレイ（Ａ）１８１〜（Ｇ）１８７への排出を指示する。
このとき、余白ａ〜ｄのいずれかに画像を印刷した印刷済み用紙１３４の排出先がたとえば排紙トレイ（Ａ）１８１に指定されているとする。このとき、メールボックス１８０は、第２搬送路１６２に沿って搬送された印刷済み用紙１３４を受け取ると、搬送路１６８上の経路切り換え部１６８ａを動作させ、印刷済み用紙１３４を排紙トレイ（Ａ）１８１に排出する。
【００７１】
（ステップＳ２０７）
システム制御部１２３は、全ての原稿２００の読み取りが完了したかどうかを判断する。
この場合、システム制御部１２３は、ＡＤＦ１７０からの全ての原稿２００の読み取りが完了したことを示す通知が無ければ全ての原稿２００の読み取りが完了していないと判断し（ステップＳ２０７：Ｎｏ）、ステップＳ２０１に移行する。
これに対し、システム制御部１２３は、ＡＤＦ１７０からの全ての原稿２００の読み取りが完了したことを示す通知が有れば全ての原稿２００の読み取りが完了したと判断し（ステップＳ２０７：Ｙｅｓ）、処理を終了する。
【００７２】
なお、給紙カセット１３１ａ〜１３１ｅからの印刷済み用紙１３４の給紙に伴い、いずれか又は全ての給紙カセット１３１ａ〜１３１ｅにおいて、振り分けられた印刷済み用紙１３４が無くなることがある。この場合は、たとえば再下段の給紙カセット１３１ｇの振り分け前の印刷済み用紙１３４を収容させ、給紙カセット１３１ｇからの印刷済み用紙１３４の給紙を行わせてもよい。このとき、第１搬送路１６１の上流側に配置されている両面読み取りセンサー１６７によって印刷済み用紙１３４の両面を読み取り、余白検出部１２０によって印刷済み用紙１３４の余白ａ〜ｄを検出させる。ここで、余白検出部１２０の検出した余白ａ〜ｄのサイズが画像検出部１１９の検出した画像のサイズより小さい場合、上述したように、印刷済み用紙１３４が空送りされる。そして、空送りされた印刷済み用紙１３４にたとえば名刺サイズ以上の余白ａ〜ｄがある場合、余白の最大サイズを対象とし、該当する給紙カセット１３１ａ〜１３１ｅに戻してもよい。
【００７３】
このように、本実施形態では、スキャナー部１０１（読み取りデバイス）により、印刷済み用紙１３４又は原稿２００の画像を読み取り、画像検出部１１９により、スキャナー部１０１（読み取りデバイス）が読み取った画像データを元に、原稿２００の画像のサイズを検出し、余白検出部１２０により、スキャナー部１０１（読み取りデバイス）が読み取った画像データを元に、印刷済み用紙１３４の余白ａ〜ｄのサイズを検出し、システム制御部１２３により、印刷済み用紙１３４の振り分け処理と、印刷済み用紙１３４の余白ａ〜ｄに対する画像の印刷処理とを制御する。また、システム制御部１２３は、振り分け処理では、余白検出部１２０が検出した余白ａ〜ｄのサイズに応じ、印刷済み用紙１３４を指定された給紙カセット１３１ａ〜１３１ｇ（排出先）に振り分け、画像の印刷処理では、画像検出部１１９が検出した原稿２００の画像のサイズの印刷が可能な余白ａ〜ｄを有した印刷済み用紙１３４を給紙カセット１３１ａ〜１３１ｇ（排出先）から給紙させ、プリンター部１４０に対し、原稿２００の画像を、給紙させた印刷済み用紙１３４の余白ａ〜ｄに印刷させる。
【００７４】
これにより、振り分け処理では、印刷済み用紙１３４を、余白ａ〜ｄのサイズに応じて指定された給紙カセット１３１ａ〜１３１ｇ（排出先）に振り分けることができるので、余白ａ〜ｄ余白のサイズを任意に設定できる。また、印刷処理では、画像検出部１１９が検出した原稿２００の画像のサイズの印刷が可能な余白ａ〜ｄを有した印刷済み用紙１３４を給紙カセット１３１ａ〜１３１ｇ（排出先）から給紙させるので、振り分け処理と印刷処理とを一連の流れで実行できる。その結果、印刷済み用紙１３４の再利用をさらに適切かつ迅速に行うことができる。
【符号の説明】
【００７５】
１００  ＭＦＰ
１０１  スキャナー部
１０１Ａ  本体
１０１Ｂ  原稿台
１０２  ＦＡＸ部
１０３  Ｉ／Ｆ
１０４  パネル部
１０５  ＨＤＤ
１０７Ｃ  カバー
１１０  制御部
１１１  スキャナー制御部
１１２  プリンター制御部
１１３  ＦＡＸ制御部
１１４  通信制御部
１１５  ＲＡＭ
１１６  ＥＥＰＲＯＭ
１１７  センサー制御部
１１８  画像処理部
１１９  画像検出部
１２０  余白検出部
１２１  パネル操作制御部
１２２  ＨＤＤ制御部
１２３  システム制御部
１２４  データバス
１３０  給紙部
１３１ａ〜１３１ｇ  給紙カセット
１３２  給紙ローラー
１３２ａ  引き込みローラー
１３３  用紙
１３４  印刷済み用紙
１４０  プリンター部
１４１  画像形成ユニット
１４２  １次転写ローラー
１４３  駆動ローラー
１４４  従動ローラー
１４５  中間転写ベルト
１４６  ２次転写ローラー
１５０  定着部
１５１  加熱ローラー
１５２  加圧ローラー
１６０  搬送部
１６１  第１搬送路
１６２  第２搬送路
１６３  第３搬送路
１６４  分岐点
１６６  第４搬送路
１６７  両面読み取りセンサー
１６８、１６９  搬送路
１６８ａ〜１６８ｇ、１６９ａ〜１６９ｆ  経路切り換え部
１７０  ＡＤＦ
１７０Ａ  スイッチバック機構
１７０Ｂ  本体
１７０ａ〜１７０ｃ  搬送路
１７１  給紙トレイ
１７２〜１７７  搬送ローラー
１７８  給紙口
１７９  排出口
１８０  メールボックス
１８１  排紙トレイ（Ａ）
１８２  排紙トレイ（Ｂ）
１８３  排紙トレイ（Ｃ）
１８４  排紙トレイ（Ｄ）
１８５  排紙トレイ（Ｅ）
１８６  排紙トレイ（Ｆ）
１８７  排紙トレイ（Ｇ）
２００  原稿
ａ〜ｄ  余白
【図１】
2019062301.tif 000003
【図２】
2019062301.tif 000004
【図３】
2019062301.tif 000005
【図４】
2019062301.tif 000006
【図５】
2019062301.tif 000007
【図６】
2019062301.tif 000008